(57)【要約】【課題】ブラケットおよびスライドレールを任意に取り外しでき、工具が不要で迅速に着脱動作を行えるスライドレールブラケットを提供する。【解決手段】スライドレールブラケットの本体１は、固定板１１に開孔１１１と第一長形溝１１２が設けられている。固定台２には収納室２１、第二長形溝２２およびスライド溝２３が設けられている。第一掛止柱３は、収納室２１に連結している。第一弾性部品４は、第一掛止柱３に嵌合している。第二掛止柱５は、第一掛止柱３に嵌合し、第一弾性部品４を押圧し、開孔１１１および収納室２１中において伸縮運動をする。引掛け部品６は、引掛け部６１および制御片６２を含み、第一長形溝１１２とスライド溝２３と第二長形溝２２を貫通している。第二弾性部品７は、引掛け部品６に対応し、引掛け部品６の上部を圧して引掛け部６１を直線方向に移動させる。【選択図】図１
0003140200.tif 000002
【実用新案登録請求の範囲】
【請求項１】
本体、固定台、第一掛止柱、第一弾性部品、第二掛止柱、引掛け部品および第二弾性部品を含み、
本体は固定板を含み、固定板には開孔と第一長形溝が設けられ、
固定台には収納室、第二長形溝およびスライド溝が設けられ、収納室は固定板の開孔に対応し、第二長形溝は固定板の第一長形溝に対応しており、
第一掛止柱は固定台の収納室に連結し、
第一弾性部品は第一掛止柱に嵌合し、
第二掛止柱は第一掛止柱に嵌合し、第一弾性部品を圧し、開孔および収納室中において伸縮運動し、
引掛け部品は引掛け部および制御片を含み、第一長形溝とスライド溝と第二長形溝を貫通し、制御片は対応するスライド溝内にてスライド移動し、
第二弾性部品は引掛け部品に対応し、引掛け部品の上部を圧して引掛け部を直線方向に移動させることを特徴とするスライドレールブラケット。
【請求項２】
更に一つのボタン体を含み、引掛け部品は更に一つの連結部を含み、連結部はボタン体に固定されていることを特徴とする請求項１記載のスライドレールブラケット。
【請求項３】
前記ボタン体は第二弾性部品に連なり、第二弾性部品は弾性棒体であることを特徴とする請求項２記載のスライドレールブラケット。
【請求項４】
前記固定台には凹溝を設けることを特徴とする請求項１記載のスライドレールブラケット。
【請求項５】
前記固定台の凹溝中に一つのボタン体と第二弾性部品を内設し、並びに、第二弾性部品はボタン体の上部を圧し、かつ、第二弾性部品は一つの圧縮バネであることを特徴とする請求項４記載のスライドレールブラケット。
【請求項６】
前記第一掛止柱と第二掛止柱は、固定台に一体成形されて両段式階段状柱となることを特徴とする請求項１記載のスライドレールブラケット。
【請求項７】
前記引掛け部品の引掛け部は、第一引掛けと第二引掛けを含むことを特徴とする請求項１記載のスライドレールブラケット。
【考案の詳細な説明】
【技術分野】
【０００１】
本考案は、スライドレールブラケットに関し、特に、コンピュータネットワークにおけるハードウェアとしてのサーバマシンを格納するラックないし棚装置に適用される。
【背景技術】
【０００２】
一般のスライドレール結合ブラケットを金属製の取付けラックに便利に結合する方式は、ラックマウントサーバシステム（RACK-MOUNTED COMPUTER SYSTEM）によく見られるものである。
これらのスライドレールブラケットの構造は非常に多様化しており、現在の主要な構造の傾向は、工具を使わずに（TOOL-LESS）、迅速に着脱できる機能を有し、かつ異なる取り付け条件のラックに適用できるものである。
【０００３】
例えば、特許文献１、特許文献２、特許文献３、特許文献４（台湾では特許文献５）、特許文献６（台湾では特許文献７）および特許文献８に開示されている通りである。
前述の従来技術は、主にブラケット上の掛止柱を異なる直径を持つ階段柱体に構成し、異なる規格形式の取付け孔に組み合わせるものである。
しかし、ラックないし棚装置のサポートラックにこれらのブラケットを取付け固定した後に再び取り外すことは困難であった。
【０００４】
【特許文献１】米国特許第６６５９５７７号明細書
【特許文献２】米国特許第６７０２１２４号明細書
【特許文献３】米国特許第７２８１６９４号明細書
【特許文献４】米国特許第７１４４１８４号明細書
【特許文献５】台湾特許Ｍ２８１５２５明細書
【特許文献６】米国特許第７２８４６７２号明細書
【特許文献７】台湾特許Ｍ２８１５２０明細書
【特許文献８】米国特許出願公開第２００５／０１５６４９３号明細書
【考案の開示】
【考案が解決しようとする課題】
【０００５】
本考案は、ブラケットおよびスライドレールを任意に取り外しでき、工具が不要で迅速に着脱動作を行えるスライドレールブラケットを提供するものである。
【課題を解決するための手段】
【０００６】
本考案によるスライドレールブラケットは、本体、固定台、第一掛止柱、第一弾性部品、第二掛止柱、引掛け部品および第二弾性部品を含み、前記本体は固定板を含み、固定板には開孔と第一長形溝を設ける。前記固定台には収納室、第二長形溝、スライド溝を設け、収納室は固定板の開孔に対応させ、第二長形溝は固定板の第一長形溝に対応させる。第一掛止柱は、固定台の収納室に連結する。第一弾性部品は、第一掛止柱に嵌合する。第二掛止柱は、第一掛止柱に嵌合し、かつ第一弾性部品を圧し、また、開孔および収納室中において伸縮運動をする。引掛け部品は、引掛け部および制御片を含み、並びに第一長形溝とスライド溝と第二長形溝を貫通し、制御片は対応するスライド溝内にてスライド移動する。第二弾性部品は、引掛け部品に対応しており、引掛け部品の上部を圧して引掛け部を直線方向に移動させる。
【０００７】
前述のスライドレールブラケットは、更に一つのボタン体を含み、引掛け部品は更に一つの連結部を含み、並びに、連結部はボタン体に固定される。
前述のスライドレールブラケットの固定台には凹溝を設け、ボタン体は凹溝の中に内設する。
前述のスライドレールブラケットの第二弾性部品は、弾性棒体であり、並びに、ボタン体に連なる。
【０００８】
前述のスライドレールブラケットの第二弾性部品は、圧縮ばねであり、固定台の凹溝中に内設され、並びに、ボタン体の上部を押圧する。
前述のスライドレールブラケットの第一掛止柱と第二掛止柱は、固定台に一体連結成形されて両段式階段状柱となる。
前述のスライドレールブラケットの引掛け部品の引掛け部は、第一引掛けと第二引掛けを含む。
（考案の効果）
【０００９】
本考案の改善された効果と特徴は、次に示す通りである。
ａ．異なる規格の取付け孔を有するラックに適用される。
ｂ．ラックないし棚装置から隣接する単一のブラケットおよびスライドレールを任意に取り外しできる。このため工具が不要で迅速に着脱動作を行うことができる。
【考案を実施するための最良の形態】
【００１０】
以下、図面に基づき本考案の実施例について説明する。
（第１実施例）
本考案の第１実施例によるスライドレールブラケットは、図１および図２に示す通り、本体１、固定台２、第一掛止柱３、第一弾性部品４、第二掛止柱５、引掛け部品６、第二弾性部品７およびボタン体８を含み、サポートラック９に固定される。
本体１は、固定板１１を含み、固定板１１には開孔１１１と第一長形溝１１２を設ける。
【００１１】
固定台２には収納室２１、第二長形溝２２、スライド溝２３および凹溝２４を設け、収納室２１は固定板１１の開孔１１１に対応し、第二長形溝２２は固定板１１の第一長形溝１１２に対応する。
第一掛止柱３は、固定台２の収納室２１に連結する。
第一弾性部品４は、第一掛止柱３に嵌合する。
第二掛止柱５は、第一掛止柱３に嵌合し、かつ第一弾性部品４と圧し合い、開孔１１１および収納室２１中において伸縮運動をする。
【００１２】
引掛け部品６は、引掛け部６１、制御片６２、および連結部６３を含み、第一長形溝１１２とスライド溝２３と第二長形溝２２を貫通し、制御片６２は対応するスライド溝２３内にてスライド移動する。
第二弾性部品７は、引掛け部品６に対応し、引掛け部品６の上部を圧することにより、引掛け部６１が直線方向に移動する。本実施例において、第二弾性部品７は、弾性棒体である。
ボタン体８は、固定台２の凹溝２４中に内設し、並びに、引掛け部品６の連結部６３に固定され、かつ第二弾性部品７とボタン体８は連なっている。
【００１３】
サポートラック９には、本実施例において、方形の取付け孔９１を設ける。
組み立てて、サポートラック９に装着する場合は、図２および図３に示す通りである。本体１はサポートラック９に装着して固定する。固定台２は、本体１の固定板１１に連結し、第一掛止柱３と第二掛止柱５は（第一弾性部品４を内設）固定板１１と固定台２に嵌められるように設けられており、かつ第二掛止柱５はサポートラック９の取付け孔９１までに伸びている。
【００１４】
引掛け部品６および制御片６２は第二長形溝２２とスライド溝２３内を貫通してスライドし、並びに、引掛け部品６の連結部６３をボタン体８に固定連結する。ボタン体８および第二弾性部品７は固定台２の凹溝２４中に配置され、第二弾性部品７がボタン体８を圧し、引掛け部品６がサポートラック９に対して移動すると、引掛け部６１はサポートラック９の取付け孔９１に引掛けられて固定される。
【００１５】
本体１を操作して取り外す時は、図４に示す通りであり、ボタン体８が押圧されると第二弾性部品７が圧迫され、また同時に、引掛け部品６と制御片６２が第二長形溝２２とスライド溝２３内においてスライド移動し、引掛け部６１は連動しサポートラック９の取付け孔９１に引掛け固定されなくなり、本体１をサポートラック９から取り外すことができる。
【００１６】
（第２実施例）
本考案の第２実施例によるスライドレールブラケットの斜視図を図５に示す。第二弾性部品７Ａは、圧縮ばねであり、固定台２Ａの凹溝２４Ａ中に内設し、並びに、ボタン体８Ａの上部を押圧する。
【００１７】
（第３実施例）
本考案の第３実施例によるスライドレールブラケットの斜視図を図６に示す。第一掛止柱３Ｂと第二掛止柱５Ｂは、固定台２Ｂに一体成形されて両段式階段状柱を形成する。また、引掛け部品６Ｂの引掛け部６１Ｂには第一引掛け６１１Ｂと第二引掛け６１２Ｂを設け、これは図７および図８に示す通りであり、それぞれは方形の取付け孔９１Ｂを有するサポートラック９Ｂと、円形の取付け孔９１Ｂ’を有するサポートラック９Ｂ’に使用可能である。
【図面の簡単な説明】
【００１８】
【図１】本考案の第１実施例によるスライドレールブラケットの要素を示す斜視図である。
【図２】本考案の第１実施例によるスライドレールブラケットを示す斜視図である。
【図３】本考案の第１実施例によるスライドレールブラケットを示す断面図である。
【図４】本考案の第１実施例によるスライドレールブラケットの操作を示す断面図である。
【図５】本考案の第２実施例によるスライドレールブラケットを示す斜視図である。
【図６】本考案の第３実施例によるスライドレールブラケットを示す斜視図である。
【図７】本考案の第３実施例によるスライドレールブラケットがサポートラックに使用された状態を示す斜視図である。
【図８】本考案の第３実施例によるスライドレールブラケットがサポートラックに使用された状態を示す斜視図である。
【符号の説明】
【００１９】
１：本体、２：固定台、２Ａ：固定台、２Ｂ：固定台、３：第一掛止柱、３Ｂ：第一掛止柱、４：第一弾性部品、５：第二掛止柱、５Ｂ：第二掛止柱、６：引掛け部品、６Ｂ：引掛け部品、７：第二弾性部品、７Ａ：第二弾性部品、８：ボタン体、８Ａ：ボタン体、９：サポートラック、９Ｂ：サポートラック、９Ｂ’：サポートラック、１１：固定板、２１：収納室、２２：第二長形溝、２３：スライド溝、２４：凹溝、２４Ａ：凹溝、６１：引掛け部、６１Ｂ：引掛け部、６２：制御片、６３：連結部、９１：取付け孔、９１Ｂ：取付け孔、９１Ｂ’：取付け孔、１１１：開孔、１１２：第一長形溝、６１１Ｂ：第一引掛け、６１２Ｂ：第二引掛け
【図１】
0003140200.tif 000003
【図２】
0003140200.tif 000004
【図３】
0003140200.tif 000005
【図４】
0003140200.tif 000006
【図５】
0003140200.tif 000007
【図６】
0003140200.tif 000008
【図７】
0003140200.tif 000009
【図８】
0003140200.tif 000010